(57)【要約】【課題】  大きな面積の原稿を読み取る際に、原稿台からはみ出る余剰部分を支持することによって、読み取り時における原稿の位置ずれを防止すると共に、装置自体の大型化を抑制することができる画像読取装置の提供。【解決手段】  画像読取装置１は、スキャン時に原稿１１が載置されるべく本体１２の上部に設けられた載置面８ａと、該載置面８ａより大寸の原稿１１を支持するために設けられた原稿支持部４０とを備え、該原稿支持部４０は、載置面８ａよりも下方位置にて前記本体１２から側方へ突出するように設けられ、且つ原稿１１において載置面８ａから逸脱した余剰部分１１ａの端部１１ｂのみを支持するよう構成されている【選択図】  図１
2008236203.tif 000002
【特許請求の範囲】
【請求項１】
スキャン時に原稿が載置されるべく本体の上部に設けられた載置面と、該載置面より大寸の原稿を支持するために設けられた原稿支持部とを備え、該原稿支持部は、前記載置面よりも下方位置にて前記本体から側方へ突出するように設けられ、且つ前記原稿において前記載置面から逸脱した余剰部分の端部のみを支持するよう構成されていることを特徴とする画像読取装置。
【請求項２】
前記本体は、スキャン画像が記録される被記録紙を前記本体内に供給する給紙口、及びスキャン画像が記録された被記録紙を前記本体外に排出する排紙口のうち、少なくとも一方の開口を、前記載置面より下方の側面に有し、前記原稿支持部は、前記開口の下端近傍に突設されていることを特徴とする請求項１に記載の画像読取装置。
【請求項３】
前記原稿支持部は、前記開口の下端近傍から突出して該開口を開放する状態と前記開口を閉塞する状態との間で可動なように構成されていることを特徴とする請求項２に記載の画像読取装置。
【請求項４】
前記原稿支持部は、前記余剰部分の端部が挟入される挟入部を有し、該挟入部は、前記原稿の表面及び裏面に対向するように立設された一対の係止部を具備することを特徴とする請求項１乃至３の何れかに記載の画像読取装置。
【請求項５】
前記挟入部は、前記余剰部分の端部の延在方向に直交する方向に複数並設されていることを特徴とする請求項４に記載の画像読取装置。
【請求項６】
前記一対の係止部は、前記開口から離隔する側の係止部よりも近接する側の係止部の方が鉛直方向に対して大きく傾斜し、且つ両係止部の離隔距離が上方へ向かうに従って大きくなるように構成されていることを特徴とする請求項４又は５に記載の画像読取装置。
【請求項７】
前記本体上部において前記載置面を取り囲む周縁部のうち、前記原稿支持部が設けられている側に位置する支持部側周縁部の上面が、前記載置面と略面一となるよう平坦に形成されていることを特徴とする請求項１乃至６の何れかに記載の画像読取装置。
【請求項８】
前記周縁部のうち前記支持部側周縁部以外の部分に、オペレータにより操作される操作部が設けられていることを特徴とする請求項７に記載の画像読取装置。
【発明の詳細な説明】
【技術分野】
【０００１】
本発明は、原稿台に載置された原稿をスキャンすることにより、この原稿に表された画像を読み取ることができる画像読取装置に関する。
【背景技術】
【０００２】
原稿台に載置された原稿を読み取るための機能を備えた画像読取装置としては、複合機プリンタ、コピー機、及びファクシミリ送信機などがある。このような画像読取装置には、原稿台より小さい面積の原稿を読み取って記録用紙などに印刷する場合に、原稿の周囲部分が黒色に印刷されないようにするため、白色フィルムが貼付された原稿カバーが備えられているものがあり、この原稿カバーは、スキャン時に原稿を支持する役割も果たしている。
【０００３】
ところで、一度のスキャン処理によって読み取ることのできる原稿の面積には限界があり、ときにはその面積より大きな面積を有する原稿の一部を読み取る必要が生じる場合もある。この場合、原稿台に原稿を載置すると余剰部分が原稿台からはみ出て垂れ下がることとなり、垂れ下がった余剰部分の自重によって原稿の位置がずれてしまう可能性がある。このような事態が生じないよう、原稿を人手で押えつつ、原稿カバーを閉じて原稿を保持するのではあるが、原稿カバーが閉じきる前に原稿から人手を離す必要があり、この際に原稿の位置がずれてしまうという可能性は依然としてある。
【０００４】
そこで、大きな面積を有する原稿の一部を読み取る場合に、原稿の位置がずれてしまわないような構成を備える画像読取装置として、特許文献１，２などの公知技術が開示されている。これらの文献の開示によれば、原稿台と略面一を成す支持部が備えられており、この支持部によって、原稿台に載置された原稿の余剰部分を、該余剰部分の面で支持する構成となっている。このような構成によれば、原稿カバーを閉じる際に原稿を人手で押える必要がないため、原稿の位置ずれを抑制することができる。
【特許文献１】特開２００６−７８５１６号公報
【特許文献２】特開２０００−３２１６８３号公報
【発明の開示】
【発明が解決しようとする課題】
【０００５】
ところで、家庭などで使用されることの多い複合機プリンタや、主にオフィスなどで広く普及しているコピー機及びファクシミリ送信機などの画像読取装置は、設置面積の制限やインテリア変更時の可搬性などの理由から、何れも寸法の小型化が要望されている。しかしながら、上記特許文献１，２に開示された構成の場合、支持部が原稿の余剰部分を面で支持する構成となっているため、この支持部は原稿台と略面一にして装置本体から水平方向へ大きく突出させる必要があり、また、このような支持部によって支持された原稿は、余剰部分も含めて全体が水平な姿勢となってしまう。従って、支持部も含めた装置全体の寸法が大きくなってしまい、上述したような要望に必ずしも応えられる構成とはなっていない。
【０００６】
そこで本発明は、大きな面積の原稿を読み取る際に、原稿台からはみ出る余剰部分を支持することによって、読み取り時における原稿の位置ずれを防止すると共に、装置自体の大型化を抑制することができる画像読取装置を提供することを目的とする。
【課題を解決するための手段】
【０００７】
本発明は上述したような事情に鑑みてなされたものであり、本発明に係る画像読取装置は、スキャン時に原稿が載置されるべく本体の上部に設けられた載置面と、該載置面より大寸の原稿を支持するために設けられた原稿支持部とを備え、該原稿支持部は、前記載置面よりも下方位置にて前記本体から側方へ突出するように設けられ、且つ前記原稿において前記載置面から逸脱した余剰部分の端部のみを支持するよう構成されている。
【０００８】
このような構成とすることにより、原稿の余剰部分は、載置面の外側で該載置面より下方へ垂れ下がることとなり、垂れ下がった余剰部分の端部が、原稿支持部によって支持される。従って、原稿の余剰部分を原稿支持部によって支持可能であると共に、原稿支持部が装置本体から側方へ突出する寸法を小さくし、装置全体の寸法の大型化を抑制することができる。
【０００９】
また、前記本体は、スキャン画像が記録される被記録紙を前記本体内に供給する給紙口、及びスキャン画像が記録された被記録紙を前記本体外に排出する排紙口のうち、少なくとも一方の開口を、前記載置面より下方の側面に有し、前記原稿支持部は、前記開口の下端近傍に突設されていてもよい。このような構成とすることにより、原稿支持部を給紙口の近傍に突設した場合は、装置本体内へ供給される前に給紙口内で蓄えられている被記録紙を支持することができ、給紙トレイの役割を兼ねさせることができる。また、原稿支持部を排紙口の近傍に突設した場合は、印刷後に排紙されて排紙口内で蓄えられている被記録紙を支持することができ、排紙トレイの役割を兼ねさせることができる。
【００１０】
また、前記原稿支持部は、前記開口の下端近傍から突出して該開口を開放する状態と前記開口を閉塞する状態との間で可動なように構成されていてもよい。このような構成とすることにより、画像読取装置を使用しないときには、開口を閉塞する状態とし、開口内へ塵芥が侵入するのを防止することができ、更に、例えばインクジェットプリンタ機能を有する場合には、吐出ヘッドに形成されたノズル孔内のインクが乾燥するのを抑制することができる。
【００１１】
また、前記原稿支持部は、前記余剰部分の端部が挟入される挟入部を有し、該挟入部は、前記原稿の表面及び裏面に対向するように立設された一対の係止部を具備していてもよい。このような構成とすることにより、挟入部に挟入された余剰部分の端部は、表面側及び裏面側への位置ずれが生じにくくなり、該端部を確実に保持することができる。
【００１２】
また、前記挟入部は、前記余剰部分の端部の延在方向に直交する方向に複数並設されていてもよい。このような構成とすることにより、原稿の寸法に応じた適切な位置の挟入部にて、余剰部分の端部を保持することができるため、原稿の寸法に拘らずこれを適切に支持することができる。
【００１３】
また、前記一対の係止部は、前記開口から離隔する側の係止部よりも近接する側の係止部の方が鉛直方向に対して大きく傾斜し、且つ両係止部の離隔距離が上方へ向かうに従って大きくなるように構成されていてもよい。例えば、給紙口の下端近傍に原稿支持部を設けた場合には、上記のような構成とすることにより、原稿の余剰部分の端部を支持可能であると共に、給紙口へ被記録紙を挿入するに際して被記録紙の端部が係止部に引っ掛かりにくくなる。
【００１４】
また、前記本体上部において前記載置面を取り囲む周縁部のうち、前記原稿支持部が設けられている側に位置する支持部側周縁部の上面が、前記載置面と略面一となるよう平坦に形成されていてもよい。このような構成とすることにより、載置面に載置された原稿は、載置面から支持部側周縁部に至るまで真っ直ぐな形状を維持することができるため、原稿カバーを閉じやすく、原稿の読み取りを適切に行うことができる。
【００１５】
また、前記周縁部のうち前記支持部側周縁部以外の部分に、オペレータにより操作される操作部が設けられていてもよい。このような構成とすることにより、一般に凸状を成す複数のボタンスイッチが含まれる操作部の上に原稿が載せられるのを回避することができるため、載置面に載置された原稿を真っ直ぐな形状に維持することができる。
【発明の効果】
【００１６】
本発明に係る画像読取装置によれば、大きな面積の原稿を読み取る際に、原稿台からはみ出る余剰部分を支持することによって、読み取り時における原稿の位置ずれを防止すると共に、装置自体の大型化を抑制することができる。
【発明を実施するための最良の形態】
【００１７】
以下、本発明の実施の形態に係る画像読取装置について、図面を参照しつつ具体的に説明する。
【００１８】
図１は、本発明の実施形態に係る画像読取装置１の外観構成を示す斜視図であり、本実施の形態では画像読取装置１として所謂複合機を図示している。また、図２は図１に示した画像読取装置１の側面図である。図１に示すように画像読取装置１は、インクジェット方式によって画像を記録するプリンタ部２を、略直方体形状の筐体（本体）１２の下部に備え、且つスキャナ部３を矩形箱形の筐体１２の上部に備えて構成された多機能装置であり、プリンタ機能、スキャナ機能、コピー機能、ファクシミリ機能を有している。
【００１９】
図１及び図２に示すように画像読取装置１は、筐体１２の前壁部１２ａの下部に、被記録紙としての記録用紙１０が供給される給紙口４を有し、該給紙口４の上方にはプリンタ部２にて画像形成された記録用紙１０が排出される排紙口５を有している。この給紙口４内には給紙トレイ４ａが設けられており、本実施の形態においてはＡ３サイズ以下の各種サイズの記録用紙１０が複数枚収容できるようになっている。また、排紙口５内には排紙トレイ５ａが設けられており、画像形成後の記録用紙１０を複数枚収容できるようになっている。
【００２０】
画像読取装置１の上部に設けられたスキャナ部３は、所謂フラットベッドスキャナとして構成されている。即ち、図１及び図２に示されるように画像読取装置１の上面には、該画像読取装置１の天板として略矩形状の原稿カバー７が配設されており、この原稿カバー７は、筐体１２の上面後部に設けられた左右方向に伸延する枢軸７ａにより後端部が支持され、この枢軸７ａ回りに開閉自在に枢支されている。また、筐体１２の上面であって閉じられた原稿カバー７によって覆われる部分にはプラテンガラス８が設けられており、このプラテンガラス８の上面は、原稿１１が載置される載置面８ａを成している。更に、筐体１２内であってプラテンガラス８の下方には、載置面８ａに載置された原稿１１の画像を読み取るイメージセンサ９（図３参照）などが配設されている。
【００２１】
筐体１２の上面右側の部分１２ｂには、プリンタ部２やスキャナ部３を操作するための操作パネル１３が設けられている。より詳しくは、上記原稿カバー７は筐体１２の上面よりも小さい面積に構成されており、原稿カバー７を閉じたとき、筐体１２の上面右側の部分１２ｂには原稿カバー７で覆われない領域が存在する。上述した操作パネル１３は、この領域に配設されている。操作パネル１３は、各種操作ボタンや液晶ディスプレイから構成されており、画像読取装置１は、ユーザによる操作パネル１３の操作の結果、該操作パネル１３から出力される指示に基づいて動作可能になっている。また、筐体１２の上面前側の部分１２ｃ、即ち、筐体１２の上面において載置面８ａを取り囲む周縁部のうち、後述する原稿支持部４０が設けられている前側の部分（支持部側周縁部）１２ｃは、載置面８ａと略面一となるよう平坦に形成されている。
【００２２】
図３は、図１に示す画像読取装置１の構成を示す模式的な断面図である。図２に示すように、画像読取装置１の底部近傍には給紙トレイ４ａが設けられており、該給紙トレイ４ａの上方には、左右方向に長寸を成す平坦な板状のプラテン１８が設けられている。このプラテン１８の更に上方には、ノズル孔からインクを吐出する吐出ヘッド２０等がキャリッジ１９に搭載されて成る画像記録ユニット２２が設けられている。また、給紙トレイ４ａの後方からは用紙搬送路２３が延設されている。この用紙搬送路２３は、給紙トレイ４ａの後方から上方へ向かい更に前方へ向かうように湾曲した湾曲パス２４と、該湾曲パス２４の終点から更に前方へ延びるストレートパス２５とから成り、画像記録ユニット２２の配設箇所以外の部分では、所定間隔で対向する外側ガイド面と内側ガイド面とで構成されている。
【００２３】
給紙トレイ４ａの直上には、該給紙トレイ４ａ内の記録用紙１０を用紙搬送路２３へ供給する給紙ローラ２６が設けられている。また、用紙搬送路２３における湾曲パス２４の下流部分近傍には、搬送ローラ２７及びピンチローラ２８から成る一対の搬送ローラ対２９が、両ローラ２７，２８によって用紙搬送路２３を上下から挟むようにして設けられている。更に、用紙搬送路２３におけるストレートパス２５の下流部分近傍には、排紙ローラ３０及びピンチローラ３１から成る一対の排紙ローラ対３２が、両ローラ３０，３１によって用紙搬送路２３を上下から挟むようにして設けられている。上述した吐出ヘッド２０とプラテン１８とは、搬送ローラ対２９と排紙ローラ対３２との間にて、ストレートパス２５を上下から挟むようにして設けられている。
【００２４】
従って、給紙トレイ４ａ内の記録用紙１０は、給紙ローラ２６によって用紙搬送路２３へ供給され、続いて搬送ローラ対２９によって用紙搬送路２３上を湾曲パス２４からストレートパス２５へと搬送される。ストレートパス２５に到達した記録用紙１０は、ここで対向配置された吐出ヘッド２０から吐出するインクにより画像が記録され、記録が完了すると排紙ローラ対３２によってストレートパス２５から排出されて排紙トレイ５ａへ収容されるようになっている。
【００２５】
また、このようなプリンタ部２の上方にスキャナ部３が配設されており、図３に示すようにプラテンガラス８の下方に、該プラテンガラス８の一端から他端まで往復移動可能なイメージセンサ９が配設されている。このイメージセンサ９は、載置面８ａに載置された原稿１１の画像を読み取り、読み取った画像データをＣＰＵなどから成る制御部（図示せず）へ出力する。制御部はこの画像データに基づいて吐出ヘッド２０を駆動し、上述したようにして記録用紙１０に画像を記録させることにより、原稿１１の画像を記録用紙１０に複写させる。
【００２６】
このような本実施の形態に係る画像読取装置１では、載置面８ａより寸法の大きな原稿１１を載置面８ａに載置し、その一部の画像を読み取る際に、原稿１１のうち載置面８ａからはみ出た余剰部分１１ａを支持するための原稿支持部４０が設けられている。以下、この原稿支持部４０の構成についての複数の実施例について説明する。
【００２７】
（実施例１）
図１及び図２に示すように、画像読取装置１の前壁部１２ａの下部であって、給紙口４の下端近傍から、前方へ突出するようにして矩形板状の原稿支持部４０が突設されている。図４は、実施例１に係る原稿支持部４０の拡大側面図である。図４に示すように、原稿支持部４０の上部には、原稿１１の余剰部分１１ａの端部１１ｂが挟入される挟入溝４１が形成されている。この挟入溝４１は、左右方向へ延設された楔形の溝状を成し、前後方向に複数本（本実施例では３本）が並設されている。
【００２８】
挟入溝４１は、前後に配されて対を成す前側係止壁４２と後側係止壁４３とから構成されており、給紙口４（図２参照）に近接する前側係止壁４２よりも、給紙口４に近接する後側係止壁４３の方が、鉛直方向に対して大きく傾斜している。具体的には、本実施例では前側係止壁４２の壁面は略鉛直面に形成され、後側係止壁４３の壁面は鉛直面に対して略６０度だけ傾斜して形成されている。そして挟入溝４１は、これらの係止壁４２，４３における水平方向の離隔距離が上方へ向かうに従って大きくなるように、側面視で上方に開いた形状となっている。
【００２９】
このような実施例１に係る原稿支持部４０を備える画像読取装置１の場合、図１及び図２に示すように載置面８ａより大寸の原稿１１を載置面８ａに載せる際に、該載置面８ａからはみ出る余剰部分１１ａを筐体１２の前側に垂れ下がらせると、挟入溝４１の前側係止壁４２と後側係止壁４３とが、余剰部分１１ａの一方の面と他方の面とに夫々略対向するようにして、端部１１ｂ（図４参照）が挟入溝４１内に挟入されて支持される。その結果、原稿１１を人手によって押さえつけなくとも原稿１１がずれ落ちるのを防止することができるため、原稿１１を載置面８ａ上に適切に位置させつつ容易に原稿カバー７を閉じることができる。
【００３０】
なおここで、原稿支持部４０の挟入溝４１によって支持される原稿１１の端部１１ｂとは、厳密には原稿１１において画像が形成される一方の面とその反対側の他方の面とを接続する端面部分のみをいい、実質的には、挟入溝４１に挟入された原稿１１の余剰部分１１ａのうち、何れかの係止壁４２，４３に交差する向きでこれらの係止壁４２，４３に当接する当接部分のことをいう。
【００３１】
また、原稿支持部４０には、前後方向（即ち、余剰部分１１ａの延在方向に直交する方向）に複数本の挟入溝４１が形成され、何れの挟入溝４１であっても原稿１１の余剰部分１１ａの端部１１ｂを支持することができるため、原稿１１の寸法の若干の大小や、オペレータによる原稿１１の置き方などに拘らず、端部１１ｂを適切に支持することができる。
【００３２】
また、一対の係止壁４２，４３が上述したように傾斜しているため、給紙口４から給紙トレイ４ａ内へ記録用紙１０を挿入するに際し、この記録用紙１０が挟入溝４１に引っ掛かりにくくなっている。即ち、図４に示すように、前後で対を成す係止壁４２，４３のうち給紙口４に近接する（即ち、後側の）後側係止壁４３は、給紙口４に接近していくに従って上方へ向かうように壁面が後方斜め情報へ傾斜している。従って、給紙トレイ４ａ内へ挿入される記録用紙１０の先端がこの後側係止壁４３に当接しても、該先端は後側係止壁４３の壁面に沿って後方斜め上方へと給紙口４へ向かって誘導されるため、挟入溝４１に引っ掛かりにくく給紙トレイ４ａ内へスムースに挿入することができる。
【００３３】
更に、原稿支持部４０は板状を成して給紙口４の下端近傍から突出しているため、給紙トレイ４ａより大寸の記録用紙１０を給紙トレイ４ａに入れた場合、例えば、平面視でＡ４サイズの給紙トレイにＡ３の記録用紙を入れた場合に、該給紙トレイ４ａから外部にはみ出た部分を支持することも可能である。即ち、原稿支持部４０は給紙トレイの一部を成すことができ、給紙トレイ４ａと原稿支持部４０とによって、大寸の記録用紙のための給紙トレイを構成することができる。
【００３４】
なお、図２に示すように原稿支持部４０の突設位置としては、側面視したときの載置面８ａの後端から筐体１２の上面の前端までの寸法をＡ、載置面８ａの前端から原稿支持部４０までの上下方向寸法をＢ、載置面８ａの前後方向寸法をＣとした場合、（Ａ＋Ｂ）＜２Ｃとなっていることが好ましい（以下の実施例においても同じ）。この場合、例えば、Ａ４用紙と同寸法の載置面８ａにＡ３サイズの原稿１１を載せると、その余剰部分１１ａの端部１１ｂを原稿支持部４０にて支持することができる。
【００３５】
（実施例２）
図５は、実施例２に係る原稿支持部４０を備える画像読取装置１の構成を示す側面図であり、図６は、この原稿支持部４０の構成を示す拡大側面図である。図５に示すように、実施例２に係る画像読取装置１は、前壁部１２ａにおける給紙口４と排紙口５との間の部分から、前方へ突出するようにして矩形板状の原稿支持部４０が突設されている。図６に示すように、この原稿支持部４０の上部には、原稿１１の余剰部分１１ａの端部１１ｂが挟入される挟入溝４５が形成されている。この挟入溝４５は、左右方向へ延設された楔形の溝状を成し、前後方向に複数本（本実施例では３本）が並設されている。
【００３６】
この挟入溝４５は、前後に配されて対を成す前側係止壁４６と後側係止壁４７とから構成されており、給紙口４（図５参照）から離隔する前側係止壁４６が、給紙口４に近接する後側係止壁４７よりも、鉛直方向に対して大きく傾斜している。具体的には、本実施例では後側係止壁４７の壁面は略鉛直面に形成され、前側係止壁４６の壁面は鉛直面に対して略６０度だけ傾斜して形成されている。そして挟入溝４５は、これらの係止壁４６，４７における水平方向の離隔距離が上方へ向かうに従って大きくなるように、側面視で上方に開いた形状となっている。このように、本実施例に係る原稿支持部４０の挟入溝４５は、前側係止壁４６及び後側係止壁４７の傾きに関して、図４に示した挟入溝４１の前側係止壁４２及び後側係止壁４３と反対の関係になっている。
【００３７】
このような実施例２に係る原稿支持部４０を備える画像読取装置１は、実施例１の場合と同様に、載置面８ａより大寸の原稿１１を載置面８ａに載せる際に、該載置面８ａからはみ出る余剰部分１１ａを筐体１２の前側に垂れ下がらせると、余剰部分１１ａの端部１１ｂ（図６参照）が原稿支持部４０の挟入溝４５内に挟入されて支持される。その結果、原稿１１を人手によって押さえつけなくとも原稿１１がずれ落ちるのを防止することができるため、原稿１１を載置面８ａ上に適切に位置させつつ容易に原稿カバー７を閉じることができる。
【００３８】
また、一対の係止壁４６，４７が上述したように傾斜しているため、原稿１１の余剰部分１１ａの端部１１ｂを、より確実に支持することができる。即ち、図５に示すように、載置面８ａから下方へ垂れ下がった余剰部分１１ａは、載置面８ａに沿って前方へ向かった後に下方へ湾曲し、更に、下方へ向きつつ排紙口５に近接する後方へと、下方斜め後方へ向かうよう湾曲した状態となる場合がある。一方、本実施例に係る挟入溝４５の場合、前側係止壁４６は前方へ向かうに従って上方へ向かう壁面を有し、後側係止壁４７は略鉛直面を成す壁面を有しているため、側面視すると挟入溝４５は上方斜め前方へ向かって開いた形状となっている。このように、挟入溝４５が上方斜め前方へ向かって開いているため、下方斜め後方へ向かう余剰部分１１ａを受け入れ易く、その端部１１ｂが挟入されてより確実にこれを支持することができる。
【００３９】
なお、図５及び図６において示す構成のうち、既に説明したものと同様の構成を有する部分については、同じ符号を付すこととし、その詳細な説明は省略する。
【００４０】
（実施例３）
図７は、実施例３に係る原稿支持部４０を備える画像読取装置１の構成を示す側面図である。図７に示すように、この画像読取装置１の給紙トレイ４ａには、ボックス形状の給紙カセット５０が装着されており、該給紙カセット５０において給紙口４から外方に突出した部分に原稿支持部４０が設けられている。
【００４１】
図８は、給紙カセット５０の構成を示す斜視図である。図８に示すように、給紙カセット５０は上部が開いた平坦な矩形ボックス状の用紙収納部５１と、該用紙収納部５１の前部に設けられて用紙収納部５１の開口における前側部分を上方から覆うことのできるカバー部５２とから構成されている。また、このカバー部５２は、左右方向に長寸の矩形板状を成して図５に示したものと同様の構成を成す挟入溝４５を有する原稿支持部４０を備え、該原稿支持部４０の両端からは下方へフランジ部５２ａが延設されている。用紙収納部５１の前部側面には枢軸５１ａが外側方へ突設されており、この枢軸５１ａによってフランジ部５２ａの下端部が枢支されている。
【００４２】
従って、カバー部５２は、枢軸５１ａを中心として用紙収納部５１の開口の前側部分を開閉するように回動可能になっている。また、カバー部５２が用紙収納部５１の開口の前側部分を覆うように位置した場合、原稿支持部４０は、図６に示したものと同様に、挟入溝４５が上方へ開くようにして位置される。また、図７に示すように、このような給紙カセット５０が給紙トレイ４ａへ装着されると、カバー部５２が給紙口４から前方へ突出し、原稿支持部４０も給紙口４の上端近傍から前方へ突出する。
【００４３】
このような実施例３に係る原稿支持部４０を備える画像読取装置１は、実施例２の場合と同様に、載置面８ａより大寸の原稿１１を載置面８ａに載せる際に、原稿支持部４０によって余剰部分１１ａの端部１１ｂを支持できる。従って、原稿１１を人手によって押さえつけなくとも原稿１１がずれ落ちるのを防止することができ、原稿１１を載置面８ａ上に適切に位置させつつ容易に原稿カバー７を閉じることができる。また、実施例２において説明したのと同じ理由により、原稿１１の余剰部分１１ａの端部１１ｂをより確実に支持することができる。
【００４４】
なお、図７及び図８において示す構成のうち、既に説明したものと同様の構成を有する部分については、同じ符号を付すこととし、その詳細な説明は省略する。
【００４５】
（実施例４）
図９は、実施例４に係る原稿支持部４０を備える画像読取装置１の構成を示す側面図である。図９に示すように、この画像読取装置１の排紙トレイ５ａには、ボックス形状の排紙カセット６０が装着されており、該排紙カセット６０において排紙口５から外方に突出した部分に原稿支持部４０が設けられている。なお、排紙カセット６０の構成は、図８に示した給紙カセット５０の構成と同様であるため、ここでの詳細な説明は省略するが、この排紙カセット６０を排紙トレイ５ａに装着した場合も、原稿支持部４０が排紙口５の上端近傍から前方へ突出する。
【００４６】
このような実施例４に係る原稿支持部４０を備える画像読取装置１についても、既に説明した画像読取装置１と同様に、載置面８ａより大寸の原稿１１を載置面８ａ上に適切に位置させつつ容易に原稿カバー７を閉じることができ、且つ、実施例２において説明したのと同じ理由により、原稿１１の余剰部分１１ａの端部１１ｂをより確実に支持することができる。
【００４７】
（実施例５）
図１０は、実施例５に係る原稿支持部４０を備える画像読取装置１の構成を示す斜視図である。図１０に示すように、この画像読取装置１は、図５及び図６を用いて説明した実施例２に係る画像読取装置１と同様の構成を備えているが、本実施例に係る画像読取装置１においては原稿支持部４０が回動可能になっている。
【００４８】
より詳しくは、図１０に示すように原稿支持部４０は、筐体１２の前壁部１２ａにおける給紙口４と排紙口５との間の部分にて、左右方向の枢軸６５により所定角度範囲内で回転自在なように支持されている。そして、原稿支持部４０を前方へ回動させると、図１０にて実線で示すように、該原稿支持部４０は排紙口５の下端近傍から前方へ突出して排紙口５を開放した状態となって挟入溝４５が上面に位置することとなる。一方、原稿支持部４０を後方へ回動させて起立させると、図１０にて二点鎖線で示すように、該原稿支持部４０は排紙口５を前方から閉塞した状態となる。
【００４９】
このような実施例５に係る原稿支持部４０を備える画像読取装置１によれば、原稿支持部４０を前方へ突出させた状態では、既に説明した画像読取装置１と同様に、載置面８ａより大寸の原稿１１を載置面８ａ上に適切に位置させつつ容易に原稿カバー７を閉じることができ、且つ、実施例２において説明したのと同じ理由により、原稿１１の余剰部分１１ａの端部１１ｂをより確実に支持することができる。一方、原稿支持部４０を起立させて排紙口５を塞ぐと、排紙口５から筐体１２内へ塵芥が侵入するのを抑制することができ、また、プリンタ部２が備える吐出ヘッド２０のインクが乾燥するのを抑制することができる。また、必要に応じて原稿支持部４０を前方へ突出させればよいため、不必要なときには原稿支持部４０を起立させておくことにより、画像読取装置１の前後方向の小型化を図ることができる。
【００５０】
なお、本実施例５では、実施例２に示した画像読取装置１における原稿支持部４０を回動可能にした構成について説明したが、実施例１に示した画像読取装置における原稿支持部４０を回動可能に構成することも可能である。この場合は、原稿支持部４０を後方へ回動して起立させることにより、給紙口４を塞ぐことができ、給紙口４から筐体１２内へ塵芥が侵入するのを防止することができる。
【００５１】
（原稿支持部の他の構成）
次に、上述した実施例１〜５に係る画像読取装置１の原稿支持部４０に換えて採用することができ、他の構成を備える原稿支持部について説明する。図１１は、他の構成を備える原稿支持部を説明するための斜視図であり、（ａ）は上面に溝が形成されたもの、（ｂ）は上面全体に突起が設けられたもの、（ｃ）は上面の一部分のみに突起が設けられたものを夫々示している。
【００５２】
図１１（ａ）に示す原稿支持部７０は左右方向に長寸の矩形板状を成し、その上面には、左右の両側方の端面を貫通して複数本（ここでは２本）の挟入溝７１が形成されている。この挟入溝７１は側面視で矩形状を成し、前後に配されて対を成す係止壁７１ａ，７１ｂと、該係止壁７１ａ，７１ｂの下部間を接続する底壁７１ｃとで構成されている。
【００５３】
図１１（ｂ）に示す原稿支持部７３も左右方向に長寸の矩形板状を成し、その上面には、複数の係止突起７４が前後左右にマトリックス状に配設されている。この係止突起７４は直方体形状を成し、前後に配された係止突起７４の対向面が、対を成す係止壁７４ａ，７４ｂを成している。
【００５４】
図１１（ｃ）に示す原稿支持部７６も左右方向に長寸の矩形板状を成し、その上面における左右の一部分に、複数の係止突起７７が前後方向に複数並設されている。この係止突起７７も直方体形状を成し、前後に配された係止突起７７の対向面が、対を成す係止壁７７ａ，７７ｂを成している。
【００５５】
上述したような原稿支持部７０，７３，７６は、何れも実施例１〜５に係る画像読取装置１に適用することができ、既に説明したように、載置面８ａより大寸の原稿１１を載置面８ａ上に適切に位置させつつ容易に原稿カバー７を閉じることができて好都合である。
【００５６】
なお、原稿支持部の構成としては上述したものに限られず、他の様々の構成をとることができ、原稿１１の余剰部分１１ａの端部１１ｂを支持することができる構成であれば、ここで開示しない他の構成を採用してもよい。
【００５７】
また、上述した説明では、原稿支持部４０を給紙口４の下端又は上端近傍（実施例１，４）、あるいは、排紙口５の下端又は上端近傍（実施例２，３）から突出させた構成について説明したが、これに限られない。他の構成であっても、載置面８ａよりも下方位置にて筐体１２の前壁部１２ａから前方へ突出するものであればよく、より好ましくは、上述した（Ａ＋Ｂ）＜２Ｃの関係を満足するものであればなおよい。
【産業上の利用可能性】
【００５８】
本発明は、大きな面積の原稿を読み取る際に、原稿台からはみ出る余剰部分を支持することによって、読み取り時における原稿の位置ずれを防止すると共に、装置自体の大型化を抑制することができる画像読取装置に適用することができる。
【図面の簡単な説明】
【００５９】
【図１】本発明の実施形態に係る画像読取装置の外観構成を示す斜視図である。
【図２】図１に示した画像読取装置の側面図である。
【図３】図１に示す画像読取装置の構成を示す模式的な断面図である。
【図４】実施例１に係る原稿支持部の構成を示す拡大側面図である。
【図５】実施例２に係る原稿支持部を備える画像読取装置の構成を示す側面図である。
【図６】実施例２に係る原稿支持部の構成を示す拡大側面図である。
【図７】実施例３に係る原稿支持部を備える画像読取装置の構成を示す側面図である。
【図８】給紙カセットの構成を示す斜視図である。
【図９】実施例４に係る原稿支持部を備える画像読取装置の構成を示す側面図である。
【図１０】実施例５に係る原稿支持部を備える画像読取装置の構成を示す斜視図である。
【図１１】他の構成を備える原稿支持部を説明するための斜視図であり、（ａ）は上面に溝が形成されたもの、（ｂ）は上面全体に突起が設けられたもの、（ｃ）は上面の一部分のみに突起が設けられたものを夫々示している。
【符号の説明】
【００６０】
１  画像読取装置
４  給紙口
４ａ  給紙トレイ
５  排紙口
５ａ  排紙トレイ
７  原稿カバー
８  プラテンガラス
８ａ  載置面
１０  記録用紙
１１  原稿
１１ａ  余剰部分
１１ｂ  端部
１２  筐体（本体）
１２ａ  前壁部
１３  操作パネル
４０，７０，７３，７６  原稿支持部
４１，４５，７１  挟入溝
４２，４６  前側係止壁
４３，４７  後側係止壁
５０  給紙カセット
６０  排紙カセット
７１ａ，７４ａ，７７ａ  係止壁
７４，７７  係止突起
【図１】
2008236203.tif 000003
【図２】
2008236203.tif 000004
【図３】
2008236203.tif 000005
【図４】
2008236203.tif 000006
【図５】
2008236203.tif 000007
【図６】
2008236203.tif 000008
【図７】
2008236203.tif 000009
【図８】
2008236203.tif 000010
【図９】
2008236203.tif 000011
【図１０】
2008236203.tif 000012
【図１１】
2008236203.tif 000013